(57)【要約】      （修正有）【課題】敵対者を無力化したり、気を逸らせたり、迷わせたり、進路を変えたりするための発光体や拡声器等の無力化要素を含む自己直立型手りゅう弾を提供する。【解決手段】自己直立型手りゅう弾は、投げるために大人の手に保持される形をしている。手りゅう弾は、無力化要素が最適位置をとるように、着弾時に自己直立するように構成されて重みが加えられている。制御電子回路は、手りゅう弾を起動するための、そして無力化要素のタイミング手順を設定するための、使用者が操作可能なスイッチを含む。【選択図】図１
2018004243.tif 000002
【特許請求の範囲】
【請求項１】
オフモードと無力化モードとを有し、投げるために大人の手に保持されるように構成された自己直立型無力化手りゅう弾であって、
頂部と、
底部と、
前記頂部と前記底部との間にある周壁と、
前記底部を含む下部であって、前記周壁が前記底部から上外向きに湾曲し、前記手りゅう弾が自己直立するように重量が付加されている下部と、
前記頂部を含む上部と、
前記無力化モードにおいて、前記手りゅう弾から３６０度横向きに光を放射する複数の光源を含む、一つ以上の無力化要素と、
電源と、
前記光源及び前記電源に接続された制御電子回路であって、オフモードと、前記光源に無力化作用の電力が供給される無力化モードと、の間を使用者が操作可能なスイッチを含む制御電子回路とを備える、
手りゅう弾。
【請求項２】
前記底部と前記頂部との間の前記周壁が凸状である、
請求項１に記載の手りゅう弾。
【請求項３】
前記底部が平坦である、
請求項１に記載の手りゅう弾。
【請求項４】
前記下部の前記周壁が実質的に半球状である、
請求項３に記載の手りゅう弾。
【請求項５】
前記底部が平坦である、
請求項４に記載の手りゅう弾。
【請求項６】
前記スイッチは、前記一つ以上の無力化要素のタイミング手順を選択するタイミング手段を含む、
請求項１に記載の手りゅう弾。
【請求項７】
前記一つ以上の無力化要素が、破壊的な音源をさらに含む、
請求項６に記載の手りゅう弾。
【請求項８】
前記頂部に、前記音源から音を出す音孔をさらに備える、
請求項７に記載の手りゅう弾。
【請求項９】
前記底部が平坦である、
請求項８に記載の手りゅう弾。
【請求項１０】
オフモードと無力化モードとを有し、投げるために大人の手に保持されるように構成された自己直立型無力化手りゅう弾であって、
頂部と、
底部と、
前記頂部と前記底部との間にある周壁と、
前記底部を含む下部であって、前記周壁が前記底部から上外向きに湾曲し、前記手りゅう弾が自己直立するように重量が付加されている下部と、
前記頂部を含む上部と、
前記無力化モードにおいて、前記手りゅう弾から３６０度横向きに光を放射する複数の光源と、
破壊的な音を生成する破壊的な音源と、
電源と、
前記光源及び前記電源に接続された制御電子回路であって、オフモードと、前記光源に無力化作用の電力が供給される無力化モードと、の間を使用者が操作可能なスイッチを含む制御電子回路とを備える、
手りゅう弾。
【請求項１１】
前記頂部に、前記音源から音を出す音孔をさらに備える、
請求項１０に記載の手りゅう弾。
【発明の詳細な説明】
【技術分野】
【０００１】
本発明は、一般には非発火式無力化手りゅう弾に関し、特には、プログラムで制御することができ、再利用可能な自己直立型の手りゅう弾に関する。
【背景技術】
【０００２】
典型的な「フラッシュバン」手りゅう弾は発火式装置であって、敵対者の近くに投げ込まれ、一時的に目をくらますような明るい閃光を発したり、大きな破裂音を発したりする無力化要素を利用して敵対者を一時的に無能力化する。一般的に「フラッシュバン」手りゅう弾は、例えば、人質を取られた状況で法執行措置を行うために、武装した敵対者に近づかねばならない等の、危険性が高い状況で使用される。
【０００３】
発火式手りゅう弾が危険であるのは、爆発により、意図しない損傷を人や財産に与える可能性があり、死をも招くこと、そして着火して火事になる可能性があることである。発火式手りゅう弾は、人に重傷を負わせることもあれば、人を殺すことさえもある。爆発が早すぎると、使用者を傷つけてしまう可能性がある。このような危険を伴うので、発火式手りゅう弾の使用は、危険性が非常に高い状況で専任者が扱う場合に限るのが普通である。発火式手りゅう弾を扱う者は、手りゅう弾の使用が原因となった損害や負傷の責任を負うことが多い。
【０００４】
これまでいくつかの非発火式装置が提案されてきた。これらの非発火式装置には、一つ又は複数の欠点がある。あるものは不格好で思い通りの場所へ投げ込むのが難しい。またあるものはガラスを打ち抜くように設計されていない。再利用できないものもある。再利用できないようにするために簡単に破損してしまうものもある。光を発するだけのものもあれば、音を発するだけのものもある。効果的な光量や音量は、手りゅう弾の静止位置によって大きく異なる。他に、防水されていない非発火式装置もある。
【０００５】
したがって、使用者及び他の人が負傷する危険性並びに着火して火事になってしまう機会は大幅に減り、結果として使用者が損害の責任を負わずに済むような無力化手りゅう弾の要望が絶えない。
【０００６】
訓練時間を減らし、投擲の位置精度を高めるために、ボールのように投げることができる設計の手りゅう弾が望ましい。
【０００７】
投擲時に安定を保ち、ガラスを簡単に打ち抜く手りゅう弾が望ましい。
【０００８】
異なる状況に合わせて、手りゅう弾の無力化作用のタイミング又は出力を変えるように使用者がプログラムで制御できる手りゅう弾が望ましい。
【０００９】
再利用できる手りゅう弾が望ましい。
【００１０】
無力化要素を効果的かつ安定的に用いられるように、そして光と音の放射が最大となるように、着弾したら自己で位置調整する手りゅう弾がより望ましい。
【図面の簡単な説明】
【００１１】
【図１】本発明の手りゅう弾の例示の実施の形態の、上面、正面、右側面斜視図である。
【図２】手りゅう弾の正面図である。
【図３】手りゅう弾の背面図である。
【図４】手りゅう弾の、底面、正面、右側面斜視図である。
【図５】手りゅう弾の底面図である。
【図６】手りゅう弾の上面図である。
【図７】武装して投げる使用者の手に保持された手りゅう弾の正面斜視図である。
【図８】図２の８−８線縦断面図である。
【発明を実施するための形態】
【００１２】
ここで図面を参照すると、図１は、本発明の自己直立型無力化手りゅう弾１０の例示の実施の形態の上面、正面、右側面斜視図である。図２は、手りゅう弾１０の正面図である。図３は、手りゅう弾１０の背面図である。図４は、手りゅう弾１０の、底面、正面、右側面斜視図である。図５は、手りゅう弾１０の底面図である。図６は、手りゅう弾１０の上面図である。
【００１３】
手りゅう弾１０は、一般に、頂部２２、底部３２、及びその間の周壁１２を含む。全体的に符号２０で示される上部は頂部２２を含む。全体的に符号３０で示す下部は底部３２を含む。周壁１２は、底部３２から上外向きに湾曲しており、下部３０は、手りゅう弾１０が投げられた後に自己直立するように重量が付加されている。手りゅう弾１０が直立姿勢でより確実に揺れ止まるようにするために、周壁１２は底部３２と頂部２２との間で凸状であってもよい。下部３０の周壁１２は実質的に半球状であってもよい。投擲されてから手りゅう弾１０が着弾すると、揺れが長引かずに、素早く垂直姿勢をとれるように、底部３２が、例えば平坦な水平面３３を形成することが好ましい。加重された底部３２は、飛弾する手りゅう弾１０を安定させ、手りゅう弾１０を遠くへより正確に投げることができ、底部３２が前位置をとって窓を打ち抜くようになる。
【００１４】
音孔２４の位置は、頂部２２そのものにあるのが好ましいが、周壁１２の別の位置、例えば、上部２０のいずれの位置であってもよい。音孔２４は、手りゅう弾１０内で生成された無力化作用音の出口である。
【００１５】
例示の実施の形態では、制御電子回路５０がスイッチ手段７１を含み、スイッチ手段７１は、起動ボタン７２等の起動スイッチと、プログラミングボタン７４等のプログラミングスイッチとを含む。ボタン７２、７４は奥まって配置されており、これによって、ボタン７２、７４が損傷を受けないようにし、手りゅう弾１０が滑らかに転がるようにし、不意に作動してしまわないようにしている。特には図４及び図５を参照すると、充電口７８は、底部３２の近くに配設されて、制御電子回路５０用の電池を充電するために、充電器のような外部接続を受け入れる。例示の実施の形態において、充電口７８は、雄型プラグが差し込まれる受け口であり、ほこりや泥汚れ等のごみがたまらないように分割カバー７９で覆われている。
【００１６】
他の図に戻ると、手りゅう弾１０は、音源や光源等、一つ以上の無力化要素を含んでいる。駆動回路基板８１にそれぞれ搭載される複数の光源、例えばＬＥＤ８０は、周壁１２の凹部８６内に配設され、損傷しないように透明窓８８で覆われている。図６から最も良く分かるように、例示の実施の形態では、３個のＬＥＤ８０は、手りゅう弾１０の縦軸を中心に３６０度横向きに光を一括して放射するべく、照射フィールドが手りゅう弾１０から数インチ以内で重なり合うように、１２０度の間隔で、手りゅう弾１０の周囲に位置する。放射光の縦方向角度は１００度以上であることが好ましい。効果的な光出力は３０００ルーメンの範囲であることが明らかになっている。手りゅう弾１０は直立姿勢に向けて付勢されているので、ＬＥＤ８０からの光はすべて外に向けて輝き、無力化にとって有効である。
【００１７】
図７は、武装して投げる使用者の手９５に保持された手りゅう弾１０の正面斜視図である。手りゅう弾１０は、投げられるように使用者の手９５に楽にしっかりと収まる。ボタン７２、７４は、使用者の親指９６で操作できるように配置されており、もう一方の手（不図示）で操作することもできよう。
【００１８】
図８は、図２の８−８線縦断面図である。制御電子回路５０は、全体として符号４０で示すケーシング（外枠）に格納され、ケーシング４０は、底区画４１、中間区画４２、上区画４３、及び頂区画４４を含む複数の区画を有する。Ｏリングシール４６やカバーシール４７など、様々なシールで、ケーシング区画４１、４２、４３、４４の間を封止して制御電子回路５０を各種液体から保護している。
【００１９】
手りゅう弾１０の投擲時に、底区画４１が丈夫な窓を打ち抜く先頭要素になるように、そして手りゅう弾１０の着弾時に、手りゅう弾底区画４１が下向きに転がって手りゅう弾１０が直立するように、底区画４１を、分厚くて高強度の重いスチールのような材料で造ることが好ましい。他のケーシング部分４２、４３、４４を、例えば高温ポリカーボネートのようなプラスチック等の軽量な材料で造ってもよい。複数の強力なボルト４８は、上から下までのケーシング区画４１、４２、４３、４４を結合して、ケーシング４０を完成させるとともに、ケーシング４０の損傷を防ぐ。
【００２０】
別の無力化要素は、拡声器のような破壊的な音源であり、例えば圧電式のスピーカやブザー６５等が上部２０に配置される。ブザー６５が発する破壊的な音は、例えば音圧１１０デシベルで周波数４キロヘルツである。音は、ブザー６５から、頂部２２にある孔２４を通って外へ出る。手りゅう弾１０が直立姿勢へと付勢されていることもあり、放射音は頂部２２から自由に出て部屋中に最大の無力化作用音が行き渡る。
【００２１】
電源、例えば充電式電池６０のような蓄電池は、ケーシング４０に格納されている。これまで充電式リチウムイオン電池が使用されてきた。図４に示すように、充電口７８は電池６０に電気的に接続され、電源を受け入れて電池６０を充電する。
【００２２】
制御電子回路５０は、電池６０、ＬＥＤ８０、及びブザー６５に接続されていて、それらの機能を制御し、主回路基板５１、各ＬＥＤ８０のＬＥＤ回路基板８１、及び切替回路基板７６を含む。制御電子回路５０は、手りゅう弾１０の動作のモードを制御する技術ではよく知られているように、マイクロプロセッサを含むことが好ましい。ＬＥＤ８０の出力モードは、可変周波数や固定期間の点滅等、複数であってよい。
【００２３】
一つの使用方法では、プログラミングボタン７４をある手順で押すことによって出力モードを設定し、出力モードは、ＬＥＤ８０が点滅するとともにブザー６５が断続的に鳴動する第一の継続時間と、ＬＥＤ８０とブザー６５がオフとなる第二の継続時間とが含まれる。このパターンは、手りゅう弾１０が起動を解かれるまで繰り返されることになる。使用者が起動スイッチ７２を押して制御電子回路５０を起動することにより、起動スイッチ７２の背後にあるランプ、例えばＬＥＤのような起動スイッチランプ７３が、例えば緑色に点灯する。この点灯は手りゅう弾１０が機能していることを示す。この状態で起動スイッチ７２を再度押すと、手りゅう弾１０はスイッチランプ７３が点滅するような無力化モードになる。無力化モードでは、手りゅう弾１０を投げる猶予を与える所定の又はプログラムされた短い遅延時間の後、あらかじめ設定された第一の期間ＬＥＤ８０が断続的に点滅すると共にブザー６５が断続的に鳴り、そしてあらかじめ設定された第二の期間ＬＥＤ８０及びブザー６５がオフになる。手りゅう弾１０の無力化モードを解除するときは起動スイッチ７２を押す。こうしたステップを繰り返せば、手りゅう弾１０を何度でも利用できる。タイミング手段を用いて、例えばプログラミングボタン７４で入力することによって、どの出力をすべての期間中オンにするかオフにするか使用者が決定できることが好ましい。このように、手りゅう弾１０を、様々な状況にとって最適となるようにプログラムしてもよい。
【００２４】
本発明は、先行技術の多くの欠点を効果的に克服していることが分かる。手りゅう弾１０は、使用者にも他の人にも危害を与える可能性が低い。発火する可能性がない。その結果、手りゅう弾１０は使用者の責任に帰す事態を大幅に減らしてくれる。
【００２５】
手りゅう弾１０は、使用者の手９５でボールのように投擲できるように設計されている。したがって、訓練時間は最低限で済み、投擲の位置精度も向上する。手りゅう弾をより遠くへ正確に投擲できるように、そして底部３２が前を向いて窓を打ち抜くように、強力で重量が付加された下部３０は、飛弾中の手りゅう弾を安定化する。手りゅう弾１０は、様々な状況に合わせて、手りゅう弾１０の無力化作用のタイミング及び出力を変えることができるように、使用者によって直接プログラムすることができる。手りゅう弾１０は再利用できる。
【００２６】
手りゅう弾１０は、無力化作用が効果的で安定的に使用できるよう着弾時に、自己で位置調整する。
【００２７】
本発明の特定の実施の形態を例示として説明したが、ここに記載する部品の形態、構成、構造、配置は、その利点を犠牲にすることなく、さまざまな変更がなされてもよい。したがって、ここに記載するすべての事項は、限定的な意味ではなく例示であると解するべきであり、本発明の精神及び範囲内での変形はすべて、付帯する特許請求の範囲に含まれるものである。
【符号の説明】
【００２８】
１０  手りゅう弾
１２  周壁
２０  上部
２２  頂部
２４  音孔
３０  下部
３２  底部
５０  制御電子回路
６０  充電式電池
７１  スイッチ手段
８０  ＬＥＤ
【図１】
2018004243.tif 000003
【図２】
2018004243.tif 000004
【図３】
2018004243.tif 000005
【図４】
2018004243.tif 000006
【図５】
2018004243.tif 000007
【図６】
2018004243.tif 000008
【図７】
2018004243.tif 000009
【図８】
2018004243.tif 000010
【外国語明細書】
2018004243000001.pdf